(57)【特許請求の範囲】
【請求項１】
無線通信システムにおいて端末からアップリンク信号を送信する方法であって、
物理アップリンク共有チャネル（ＰＵＳＣＨ）スケジュールに使用されるダウンリンク制御情報（ＤＣＩ）を受信し、前記ＤＣＩは、リソースブロック割当のための情報と、チャネル状態情報要求のための情報と、二つの伝送ブロックのための二つの変調符号化方式（ＭＣＳ）情報と、前記二つの伝送ブロックのための二つの新規データ指示子（ＮＤＩ）と、を含むステップと、
条件を満足する場合、前記ＰＵＳＣＨを通じてアップリンク共有チャネル（ＵＬ−ＳＣＨ）データなしにチャネル状態情報だけを送信するステップと、を有し、
前記条件は、
前記二つの伝送ブロックの第１伝送ブロックが有効化され、前記二つの伝送ブロックの第２伝送ブロックが無効化された場合、
前記有効化された伝送ブロックのためのＭＣＳ情報がＭＣＳインデクス２９を指示する場合、
前記チャネル状態情報要求のための前記情報が、前記チャネル状態情報の送信を起動するように設定されている場合、
割り当てられたリソースブロックの個数が４個以下である場合、を含み、
前記無効化された伝送ブロックのＭＣＳ情報がＭＣＳインデクス３０から３１のうち一つを示すように設定され、前記無効化された伝送ブロックのＮＤＩがトグルされる、方法。
【請求項２】
前記ＤＣＩは部分プリコーディング行列指示子／ランク指示（ＰＭＩ／ＲＩ）情報を搬送するフィールドを含み、前記チャネル状態情報を送信するために用いられる完全ＰＭＩ／ＲＩ情報は前記無効化された伝送ブロック及び前記フィールドの前記部分ＰＭＩ／ＲＩ情報の組合せによって示される、請求項１に記載の方法。
【請求項３】
前記条件は、送信階層の個数が１である場合をさらに含むことを特徴とする、請求項１に記載の方法。
【請求項４】
前記チャネル状態情報は、チャネル品質指示（ＣＱＩ）、プリコーディング行列指示子（ＰＭＩ）及びランク指示（ＲＩ）のうち少なくとも一つを含むことを特徴とする、請求項１に記載の方法。
【請求項５】
無線通信システムにおいてアップリンク信号を送信するように構成された端末であって、
無線周波（ＲＦ）ユニットと、
プロセッサと、を備え、
前記プロセッサは、物理アップリンク共有チャネル（ＰＵＳＣＨ）スケジュールに使用されるダウンリンク制御情報（ＤＣＩ）を受信し、前記ＤＣＩは、リソースブロック割当のための情報と、チャネル状態情報要求のための情報と、二つの伝送ブロックのための二つの変調符号化方式（ＭＣＳ）情報と、前記二つの伝送ブロックのための二つの新規データ指示子（ＮＤＩ）と、を含み、条件を満足する場合、前記ＰＵＳＣＨを通じてアップリンク共有チャネル（ＵＬ−ＳＣＨ）データなしにチャネル状態情報だけを送信するように構成され、
前記条件は、
前記二つの伝送ブロックの第１伝送ブロックが有効化され、前記二つの伝送ブロックの第２伝送ブロックが無効化された場合、
前記有効化された伝送ブロックのためのＭＣＳ情報がＭＣＳインデクス２９を指示する場合、
前記チャネル状態情報要求のための前記情報が、前記チャネル状態情報の送信を起動するように設定されている場合、
割り当てられたリソースブロックの個数が４個以下である場合、を含み、
前記無効化された伝送ブロックのＭＣＳ情報がＭＣＳインデクス３０から３１のうち一つを示すように設定され、前記無効化された伝送ブロックのＮＤＩがトグルされる、端末。
【請求項６】
前記ＤＣＩは部分プリコーディング行列指示子／ランク指示（ＰＭＩ／ＲＩ）情報を搬送するフィールドを含み、前記チャネル状態情報を送信するために用いられる完全ＰＭＩ／ＲＩ情報は前記無効化された伝送ブロック及び前記フィールドの前記部分ＰＭＩ／ＲＩ情報の組合せによって示される、請求項５に記載の端末。
【請求項７】
前記条件は、送信階層の個数が１である場合をさらに含むことを特徴とする、請求項５に記載の端末。
【請求項８】
前記チャネル状態情報は、チャネル品質指示（ＣＱＩ）、プリコーディング行列指示子（ＰＭＩ）及びランク指示（ＲＩ）のうち少なくとも一つを含むことを特徴とする、請求項５に記載の端末。
【発明の詳細な説明】
【技術分野】
【０００１】
本発明は、無線通信システムに係り、具体的には、アップリンク信号を送信する方法及びそのための装置に関する。
【背景技術】
【０００２】
無線通信システムが音声又はデータなどのような多様な種類の通信サービスを提供するために広範囲に展開されている。一般に、無線通信システムは、可用のシステムリソース（帯域幅、送信電力など）を共有して、複数ユーザとの通信をサポートできる多元接続システムである。多元接続システムの例としては、符号分割多元接続（ＣＤＭＡ）システム、周波数分割多元接続（ＦＤＭＡ）システム、時分割多元接続（ＴＤＭＡ）システム、直交周波数分割多元接続（ＯＦＤＭＡ）システム、単一搬送波周波数分割多元接続（ＳＣ−ＦＤＭＡ）システムなどがある。
【発明の概要】
【発明が解決しようとする課題】
【０００３】
したがって、本発明は、関連する技術の制約及び欠点による１又は複数の課題を実質的に解決する無線通信システムに関する。
【０００４】
本発明の目的は、無線通信システムでアップリンク信号を効率的に送信する方法及びそのための装置を提供することにある。
【０００５】
本発明の他の目的は、制御情報を効率的に送信する方法及びそのための装置を提供することにある。
【０００６】
本発明のさらに他の目的は、制御情報の送信を効率的に制御する方法及びそのための装置を提供することにある。
【０００７】
本発明で達成しようとする技術的課題は、上記の技術的課題に制限されず、言及していない他の技術的課題は、下の記載から本発明の属する技術の分野における通常の知識を有する者に明確に理解されるであろう。
【課題を解決するための手段】
【０００８】
本発明の一態様として、無線通信システムにおいて端末がアップリンク信号を送信する方法であって、物理アップリンク共有チャネル（ＰＵＳＣＨ）スケジュールに使用されるダウンリンク制御情報（ＤＣＩ）を受信し、ＤＣＩは、リソースブロック割当のための情報、チャネル状態情報要求のための情報、複数の伝送ブロックのための複数の変調符号化方式（ＭＣＳ）情報を含むステップと、所定の条件を満足する場合、ＰＵＳＣＨを通じてアップリンク共有チャネル（ＵＬ−ＳＣＨ）のための伝送ブロックなしにチャネル状態情報だけを送信するステップと、を含み、所定の条件は、１個の伝送ブロックだけが有効化され、有効化された伝送ブロックのためのＭＣＳ情報がＭＣＳインデクス２９を指示し、チャネル状態情報要求のための情報が１を指示し、割り当てられたリソースブロックの個数が４個以下を指示する場合を含む、方法が提供される。
【０００９】
本発明の他の態様として、無線通信システムにおいてアップリンク信号を送信するように構成された端末であって、無線周波（ＲＦ）ユニットと、プロセッサとを含み、プロセッサは、ＰＵＳＣＨスケジュールに使用されるダウンリンク制御情報を受信し、ＤＣＩは、リソースブロック割当のための情報、チャネル状態情報要求のための情報、複数の伝送ブロックのための複数のＭＣＳ情報を含み、所定の条件を満足する場合、ＰＵＳＣＨを通じてＵＬ−ＳＣＨのための伝送ブロックなしにチャネル状態情報だけを送信するように構成され、所定の条件は、１個の伝送ブロックだけが有効化（ｅｎａｂｌｅ）され、有効化された伝送ブロックのためのＭＣＳ情報がＭＣＳインデクス２９を指示し、チャネル状態情報要求のための情報が１を指示し、割り当てられたリソースブロックの個数が４個以下を指示する場合を含む、端末が提供される。
【００１０】
好ましくは、所定の条件は、送信階層の個数が１である場合をさらに含む。
【００１１】
好ましくは、チャネル状態情報は、チャネル品質指示（ＣＱＩ）、プリコーディング行列指示子（ＰＭＩ）及びランク指示（ＲＩ）のうち少なくとも一つを含む。
【００１２】
好ましくは、各伝送ブロックの無効化（ｄｉｓａｂｌｅ）は、ＤＣＩにある２つの情報の組合せによって指示され、２つの情報のうち一つは、該当の伝送ブロックのＭＣＳ情報である。
【００１３】
好ましくは、ＤＣＩは、２個の伝送ブロックのための２つのＭＣＳ情報を含み、ＤＣＩは、第１伝送ブロックは有効であり、第２伝送ブロックは無効であることを信号通知する。
【００１４】
好ましくは、第２伝送ブロックは、第２伝送ブロックのためのＭＣＳ情報を用いて無効化される。
【００１５】
好ましくは、ＤＣＩは、物理ダウンリンク制御チャネル（ＰＤＣＣＨ）を通じて受信される。
【００１６】
上述した一般的な説明及び以降の詳細な説明は双方とも例示かつ説明的なものであって、本願の特許請求の範囲に記載された発明の更なる説明を提供することを意図したものであることを理解されたい。
【発明の効果】
【００１７】
したがって、本発明は次に述べる効果及び／又は利点を提供する。
【００１８】
本発明によれば、無線通信システムでアップリンク信号を効率的に送信することができる。
【００１９】
また、本発明によれば、制御情報を効率的に送信することができる。
【００２０】
また、本発明によれば、制御情報の送信を効率的に制御することができる。
【００２１】
本発明に関する理解を助けるために詳細な説明の一部として含まれる添付図面は、本発明に係る実施例を提供し、詳細な説明と共に本発明の技術的思想を説明する。
【図面の簡単な説明】
【００２２】
【図１】無線フレームの構造を例示する図である。
【図２】ダウンリンクスロットのリソースグリッドを例示する図である。
【図３】ダウンリンクサブフレームの構造を例示する図である。
【図４】アップリンクサブフレームの構造を例示する図である。
【図５】ＭＩＭＯ送受信器を例示する図である。
【図６】符号語対階層マップ方法を例示する図である。
【図７】アップリンク空間多重化のためのＤＣＩフォーマットの一部を示す図である。
【図８】チャネル状態情報の生成及び送信を例示する概念図である。
【図９】既存のＬＴＥのＣＱＩ報告方式を例示する図である。
【図１０】ＵＬ−ＳＣＨデータ及び制御情報の処理過程を例示する図である。
【図１１】ＰＵＳＣＨ上で制御情報及びＵＬ−ＳＣＨデータの多重化を示す図である。
【図１２】本発明の実施例によってチャネル状態情報を送信する例を示す図である。
【図１３】チャネル状態情報を送信するためのブロック図である。
【図１４】チャネル状態情報を送信するためのブロック図である。
【図１５】本発明の実施例に係るＤＣＩ構成及び端末解析を例示する図である。
【図１６】本発明の一実施例に適用され得る基地局及び端末を例示する図である。
【発明を実施するための形態】
【００２３】
ここで、本発明の実施形態を詳細に説明する。実施形態の例が添付の図面に示されている。各図面を通して同一の参照符号は、可能な限り、同一又は類似の部分を指すように用いられる。
【００２４】
以下の技術は、ＣＤＭＡ、ＦＤＭＡ、ＴＤＭＡ、ＯＦＤＭＡ、ＳＣ―ＦＤＭＡなどのような様々な無線接続システムに使用することができる。ＣＤＭＡは、はん用地上無線接続（ＵＴＲＡ）又はＣＤＭＡ２０００のような無線技術によって具現可能である。ＴＤＭＡは、世界移動体通信システム（ＧＳＭ（登録商標））／一般パケット無線サービス（ＧＰＲＳ）／ＧＳＭ（登録商標）進化用強化データ速度（ＥＤＧＥ）のような無線技術によって具現可能である。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２．２０、進化ＵＴＲＡ（Ｅ−ＵＴＲＡ）などのような無線技術によって具現可能である。ＵＴＲＡは、はん用移動体通信システム（ＵＭＴＳ）の一部である。第３世代パートナシッププロジェクト（３ＧＰＰ）長期進化システム（ＬＴＥ）は、Ｅ−ＵＴＲＡを使用する進化ＵＭＴＳ（Ｅ−ＵＭＴＳ）の一部であって、ダウンリンクにおいてＯＦＤＭＡを採用し、アップリンクにおいてＳＣ−ＦＤＭＡを採用する。高度ＬＴＥ（ＬＴＥ―Ａ）は、３ＧＰＰ  ＬＴＥの進化したバージョンである。
【００２５】
説明を明確にするために、３ＧＰＰ  ＬＴＥ／ＬＴＥ−Ａを中心に記述するが、本発明の技術的思想がこれに制限されるものではない。また、以下の説明で使われる特定用語は、本発明の理解を助けるために提供されたもので、このような特定用語の使用は、本発明の技術的思想を逸脱しない範囲で他の形態に変更可能である。
【００２６】
図１は、無線フレームの構造を例示する。
【００２７】
図１を参照すると、無線フレームは１０個のサブフレームを含む。サブフレームは、時間ドメインに２つのスロットを含む。サブフレームを送信する時間が送信時間間隔（ＴＴＩ）と定義される。例えば、１サブフレームは、１ｍｓの長さを有することができ、１スロットは０．５ｍｓの長さを有することができる。一つのスロットは、時間ドメインにおいて、複数の直交周波数分割多重化（ＯＦＤＭ）又は単一搬送波周波数分割多重化（ＳＣ−ＦＤＭＡ）シンボルを有する。ＬＴＥは、ダウンリンクにおいてＯＦＤＭＡを使用し、アップリンクにおいてＳＣ−ＦＤＭＡを使用するため、ＯＦＤＭ又はＳＣ−ＦＤＭＡシンボルは、一つのシンボル期間を示す。リソースブロック（ＲＢ）は、リソース割当ユニットであり、１スロットで複数の連続した副搬送波を含む。無線フレームの構造は例示的に示されたものである。無線フレームに含まれるサブフレームの個数、サブフレームに含まれるスロットの個数、スロットに含まれるシンボルの個数は、様々な方式で変形可能である。
【００２８】
図２は、ダウンリンクスロットのリソースグリッドを例示する。
【００２９】
図２を参照すると、ダウンリンクスロットは、時間ドメインにおいて複数のＯＦＤＭシンボルを含む。１ダウンリンクスロットは、７（６）個のＯＦＤＭシンボルを含み、リソースブロックは、周波数ドメインにおいて１２個の副搬送波を含むことができる。リソースグリッド上の各要素は、リソース要素（ＲＥ）と呼ばれる。一つのＲＢは、１２×７（６）個のＲＥを含む。ダウンリンクスロットに含まれるＲＢの個数ＮＲＢは、ダウンリンク送信帯域に依存する。アップリンクスロットの構造は、ダウンリンクスロットの構造と同一であり、ただし、ＯＦＤＭシンボルがＳＣ−ＦＤＭＡシンボルに置換される。
【００３０】
図３は、ダウンリンクサブフレームの構造を例示する。
【００３１】
図３を参照すると、サブフレームの１番目のスロットにおいて前部に位置する最大３（４）個のＯＦＤＭシンボルは、制御チャネルが割り当てられる制御領域に対応する。残りのＯＦＤＭシンボルは、ＰＤＳＣＨが割り当てられるデータ領域に該当する。ＬＴＥにおいて使用されるダウンリンク制御チャネルの例は、物理制御フォーマット指示子チャネル（ＰＣＦＩＣＨ）、ＰＤＣＣＨ、物理ハイブリッド自動再送要求（ＨＡＲＱ）指示子チャネル（ＰＨＩＣＨ）などを含む。ＰＣＦＩＣＨは、サブフレームの１番目のＯＦＤＭシンボルにおいて送信され、サブフレーム内において制御チャネルの送信に使用されるＯＦＤＭシンボルの個数に関する情報を運ぶ。ＰＨＩＣＨは、アップリンク送信の応答としてＨＡＲＱ肯定応答／否定応答（ＡＣＫ／ＮＡＣＫ）信号を搬送する。
【００３２】
ＰＤＣＣＨは、ダウンリンク共有チャネル（ＤＬ−ＳＣＨ）の送信フォーマット及びリソース割当情報、アップリンク共有チャネル（ＵＬ−ＳＣＨ）の送信フォーマット及びリソース割当情報、呼出しチャネル（ＰＣＨ）上の呼出し情報、ＤＬ−ＳＣＨ上のシステム情報、ＰＤＳＣＨ上で送信されるランダムアクセス応答のような上位層制御メッセージのリソース割当情報、端末グループ内の個別端末に対するＴｘ電力制御命令セット、Ｔｘ電力制御命令、ＩＰ電話（ＶｏＩＰ）の活性化指示情報などを搬送する。複数のＰＤＣＣＨを制御領域内で送信することができる。端末は、複数のＰＤＣＣＨを監視することができる。ＰＤＣＣＨは、一つ又は複数の連続した制御チャネル要素（ＣＣＥ）の集合（ａｇｇｒｅｇａｔｉｏｎ）上で送信される。ＣＣＥは、ＰＤＣＣＨに、無線チャネル状態に基づいた符号化速度を提供するために使用される論理的割当ユニットである。ＣＣＥは、複数のリソース要素グループ（ＲＥＧ）に対応する。ＰＤＣＣＨのフォーマット及びＰＤＣＣＨビットの個数は、ＣＣＥの個数によって決定される。基地局は、端末に送信されるＤＣＩによってＰＤＣＣＨフォーマットを決定し、制御情報に巡回冗長検査ビット（ＣＲＣ）を付加する。ＣＲＣは、ＰＤＣＣＨの所有者又は使用目的に応じて識別子（例えば、無線ネットワーク一時識別子（ＲＮＴＩ））によってマスクされる。例えば、ＰＤＣＣＨが特定端末のためのものである場合、該当の端末の識別子（例えば、セルＲＮＴＩ（Ｃ−ＲＮＴＩ））をＣＲＣにマスクすることができる。ＰＤＣＣＨが呼出しメッセージのためのものである場合、呼出し識別子（例えば、呼出しＲＮＴＩ（Ｐ−ＲＮＴＩ））をＣＲＣにマスクすることができる。ＰＤＣＣＨがシステム情報（より具体的には、システム情報ブロック（ＳＩＢ））のためのものである場合、システム情報ＲＮＴＩ（ＳＩ−ＲＮＴＩ）をＣＲＣにマスクすることができる。ＰＤＣＣＨがランダムアクセス応答のためのものである場合、ランダムアクセスＲＮＴＩ（ＲＡ−ＲＮＴＩ）をＣＲＣにマスクすることができる。
【００３３】
ＰＤＣＣＨを通じて送信される制御情報をダウンリンク制御情報（ＤＣＩ）と呼ぶ。ＤＣＩは、端末又は端末グループのためのリソース割当情報及び他の制御情報を含む。例えば、ＤＣＩは、アップリンク／ダウンリンクスケジュール情報、アップリンク送信（Ｔｘ）電力制御命令などを含む。
【００３４】
表１は、アップリンクスケジュールのためのＤＣＩフォーマット０を示す。下記で、ＲＢ割当フィールドの大きさは７ビットと記載されているが、これは例示であって、ＲＢ割当フィールドの実際の大きさはシステム帯域によって変わる。
【００３５】
【表１】
0005592557.tif 000002
【００３６】
表２は、ＬＴＥにおいてアップリンクデータ送信のためのＭＣＳインデクスに対する情報を示す。ＭＣＳをために５ビットが使用され、５ビットで表すことができる状態のうち３個の状態（ＩＭＣＳ＝２９〜３１）は、アップリンク再送信のために使用される。
【００３７】
【表２】
0005592557.tif 000003
【表３】
0005592557.tif 000004
【００３８】
図４は、ＬＴＥにおいて使用されるアップリンクサブフレームの構造を例示する。
【００３９】
図４を参照すると、アップリンクサブフレームは、複数（例えば、２個）のスロットを含む。スロットは、ＣＰ長によって異なる数のＳＣ−ＦＤＭＡシンボルを含むことができる。アップリンクサブフレームは、周波数領域においてデータ領域と制御領域とに区分される。データ領域は、ＰＵＳＣＨを含み、音声などのデータ信号を送信するのに用いられる。制御領域は、ＰＵＣＣＨを含み、アップリンク制御情報（ＵＣＩ）を送信するために用いられる。ＰＵＣＣＨは、周波数軸でデータ領域の両端部に位置しているＲＢ対（ＲＢ  ｐａｉｒ）を含み、スロットを境界にしてホップする。
【００４０】
アップリンク制御情報は、下記のものを含む。
・スケジュール要求（ＳＲ）：アップリンクＵＬ−ＳＣＨリソースを要求するために使用される情報である。オン・オフ変調（ＯＯＫ）方式を用いて送信される。
・ＨＡＲＱ  ＡＣＫ／ＮＡＣＫ：ＰＤＳＣＨ上のダウンリンクデータパケットに対する応答信号である。ダウンリンクデータパケットが成功裏に受信されたか否かを示す。単一ダウンリンク符号語に対する応答としてＡＣＫ／ＮＡＣＫ １ビットが送信され、２つのダウンリンク符号語に対する応答としてＡＣＫ／ＮＡＣＫ ２ビットが送信される。
・ＣＱＩ：ダウンリンクチャネルに対するフィードバック情報である。多入力多出力（ＭＩＭＯ）関連フィードバック情報は、ＲＩ及びＰＭＩを含む。ダウンリンクチャネルに対するフィードバック情報は一般に、チャネル品質制御情報、チャネル品質情報、チャネル状態情報（ＣＳＩ）として知られる。
【００４１】
図５は、ＭＩＭＯ送受信器を例示する。具体的には、図５は、ＭＩＭＯをサポートするＯＦＤＭ又はＳＣ−ＦＤＭＡ（ＤＦＴ拡散ＯＦＤＭ又はＤＦＴ−ｓ−ＯＦＤＭとも呼ぶ）送受信器を例示する。図中において、離散フーリエ変換（ＤＦＴ）ブロック５０８がないときはＯＦＤＭ送受信器に該当し、ＤＦＴブロック５０８があるときはＳＣ−ＦＤＭＡ送受信器に該当する。便宜上、図５に関する説明は送信器の動作を中心に記述し、受信器の動作は送信器の動作の逆に行われる。
【００４２】
図５を参照すると、符号語対階層マッパ５０４は、ＮＣ個の符号語５０２をＮＬ個の階層５０６にマップさせる。符号語（ＣＷ）は、媒体接続制御（ＭＡＣ）層から受信する伝送ブロック（Ｔｒａｎｓｐｏｒｔ  Ｂｌｏｃｋ、ＴＢ）と等価である。伝送ブロックと符号語との対応関係は、符号語入替（ｓｗａｐ）によって変更され得る。したがって、これらは、（ＵＬ−ＳＣＨ）データブロックと総称することができる。また、特別に言及しない限り、以下の説明において符号語は、対応する伝送ブロックに代替可能であり、その逆の場合も同一である。符号語と伝送ブロックとの関係は、符号語入替によって変わることがある。例えば、通常の場合、１番目の伝送ブロック及び２番目の伝送ブロックは、それぞれ、１番目の符号語及び２番目の符号語に対応する。反面、符号語入替がある場合、１番目の伝送ブロックと２番目の符号語とが対応し、２番目の伝送ブロックと１番目の符号語とが対応できる。ＨＡＲＱ動作は、伝送ブロックを基準に行われる。
【００４３】
一般的に、通信システムにおいてランク（ｒａｎｋ）は、階層の個数と同一に使用される。図６に、符号語対階層マップ方式を例示した。ＳＣ−ＦＤＭＡ送信機の場合、ＤＦＴブロック５０８は、それぞれの階層５０６に対してＤＦＴ変換プリコーディングを行う。プリコーディングブロック５１０は、ＮＬ個のＤＦＴ変換された階層とプリコーディングベクトル／行列とを乗じる。この過程を通じて、プリコーディングブロック５１０は、ＮＬ個のＤＦＴ変換された階層をＮＴ個の逆高速フーリエ変換（ＩＦＦＴ）ブロック５１２及びアンテナポート５１４にマップさせる。アンテナポート５１４は、実際の物理アンテナに再びマップされ得る。
【００４４】
ＬＴＥ−Ａは、ＵＬ  ＭＩＭＯ送信をサポートするが、既存のＬＴＥは、ＵＬ  ＭＩＭＯ送信をサポートしないため、既存のＬＴＥのＤＣＩフォーマット０をＵＬ  ＭＩＭＯに直接適用する場合、様々な問題が予想される。例えば、ランク適応及びＭＣＳテーブルに問題が生じることがある。ＤＣＩフォーマット０の場合、ＮＤＩの個数は一つであり、ＭＣＳの個数も一つである。しかし、アップリンク送信のために２つのデータストリームが送信される場合、一つのＮＤＩ及び一つのＭＣＳは足りない。したがって、１個以上の伝送ブロックを送信することができるＵＬ  ＭＩＭＯにおいて、従来のＤＣＩフォーマットをそのまま使用することは適していない。
【００４５】
実施例１：ＭＩＭＯ制御情報のための信号通知
【００４６】
ＵＬ  ＭＩＭＯのための制御情報を効率的に送信する方法について説明する。
【００４７】
ＬＴＥ−Ａは、アップリンク空間多重化のために、２Ｔｘアンテナ（ポート）では３ビットプリコーディング符号表を規定し、４Ｔｘアンテナ（ポート）では６ビットプリコーディング符号表を規定している。各Ｔｘアンテナ別に、ランクによる符号表サイズは、表３の通りである。
【００４８】
【表４】
0005592557.tif 000005
【００４９】
したがって、ＵＬ  ＭＩＭＯをサポートするために、２Ｔｘの場合、３ビットＰＭＩ／ＲＩ情報、４Ｔｘの場合、６ビットＰＭＩ／ＲＩ情報が必要である。すなわち、既存のＤＣＩフォーマット０を用いてＰＭＩ／ＲＩを信号通知するためには、ＤＣＩフォーマット０に最小６ビットのＰＭＩ／ＲＩフィールドが追加されなければならない。
【００５０】
ＵＬ  ＭＩＭＯをサポートするために、符号語有効化／無効化も考慮しなければならない。表４は、ＰＭＩ／ＲＩ及び符号語有効化／無効化を共に考慮した場合である。
【００５１】
【表５】
0005592557.tif 000006
【００５２】
既存のＬＴＥは、ダウンリンクにおいてＤＣＩフォーマットのＭＣＳフィールドとＲＶフィールドとの特定の組合せを用いて、符号語を無効化することができる。具体的には、各符号語別に存在するＭＣＳとＲＶフィールドにおいて、ＭＣＳインデクスが０であり、ＲＶインデクスが１である場合、該当の符号語は、無効化された符号語として認識される。しかし、アップリンクのためのＤＣＩフォーマット０の場合、表２のように、ＭＣＳ及びＲＶがジョイント符号化され、一つのフィールド（以下、ＭＣＳ／ＲＶフィールドと称する）を通じて信号通知されるため、ダウンリンクに使用された方法を活用できない。
【００５３】
以下、ＬＴＥ−ＡでアップリンクのためのＤＣＩフォーマットのＭＣＳ／ＲＶフィールドが、既存のＬＴＥのＤＣＩフォーマット０と同一の方法を使用するという仮定の下で、符号語有効化／無効化のための方法を提案する。具体的には、本実施例は、符号語別に存在するＭＣＳ／ＲＶフィールドとＮＤＩフィールドとを組合せて、符号語の有効化／無効化を指示することを提案する。また、ＭＣＳ／ＲＶフィールドとＮＤＩフィールドとの組合せ別に符号表又はプリコーディング行列インデクスを分散させて、符号表信号通知オーバヘッドを減らす方法を提案する。
【００５４】
表５は、本発明の一実施例によってＵＬ  ＭＩＭＯのための制御情報を信号通知する方法を示す。本方法は、２Ｔｘアンテナ（ポート）である場合を例示する。表５は、ＰＵＳＣＨのスケジュールのためのＤＣＩの一部を示す。表５のＮＤＩフィールド及びＭＣＳ／ＲＶフィールドは、既存のＬＴＥのＤＣＩフォーマット０に含まれてもよいし、ＬＴＥ−ＡでＵＬ  ＭＩＭＯのために新しく設計されたＤＣＩフォーマットに含まれてもよい。表５において、符号表は、空間多重化のために２Ｔｘのケースに対して定義された符号表を意味する。
【００５５】
【表６】
0005592557.tif 000007
【００５６】
表５を参照すると、ＮＤＩがトグルされ、ＭＣＳ／ＲＶフィールドが２９，３０及び３１のうち一つを指示する場合、該当の符号語は無効化される。既存のＬＴＥ規則によれば、ＮＤＩがトグルされると新規送信を意味し、ＭＣＳ／ＲＶフィールドの値が２９〜３１である場合は再送信を意味する。したがって、既存のＬＴＥで使用されない表５の組合せを活用して特定符号語を無効化することができる。一方、ＭＣＳ／ＲＶフィールドの値が０〜２８である場合は、ＮＤＩがトグルされたか否かにかかわらず、２つの符号語がいずれも有効化される。
【００５７】
一方、表４を再び参照すると、２Ｔｘのケースでランク１であれば、一つの符号語が無効化され、ランク２であれば２つの符号語がいずれも有効化される。逆に考えれば、一つの符号語が無効化されるとランク１送信が行われ、２つの符号語がいずれも有効化されるとランク２送信が行われる。したがって、表５で、ＮＤＩフィールドとＭＣＳ／ＲＶフィールドとの組合せは、符号語有効化／無効化及びＲＩ値を共に知らせる。
【００５８】
一方、表４を参照すると、ランク１のためのプリコーディング行列の数は６個である。したがって、ランク１（すなわち、一つの符号語が無効化される）である場合、ＭＣＳ／ＲＶフィールドの値２９，３０，３１にそれぞれ２個のプリコーディング行列を対応させ、１ビットのＰＭＩ／ＲＩフィールドを用いて、２つのプリコーディング行列のうちいずれかを指示することができる。また、ランク２のためのプリコーディング行列の数は１個であるため、ランク２（すなわち、２個の符号語がいずれも有効化される）である場合、プリコーディング行列を信号通知するための追加ビットが必要でない。すなわち、ランク２である場合、ランク指示情報がプリコーディング行列を信号通知するための情報として活用され得る。したがって、本発明を２Ｔｘのケースに適用する場合、少なくとも３ビットが必要であったプリコーディング行列信号通知を１ビットだけで行うことができる。符号語有効化／無効化も信号通知することができる。
【００５９】
他の例として、２ビットを用いてプリコーディング行列を信号通知しようとする場合、ＭＣＳ／ＲＶインデクスのうち一つを予約領域に指定し、残りの２インデクス（例えば、ＭＣＳ／ＲＶインデクス２９，３０）にランク１のためのプリコーディング行列を適切に分配できる。例えば、ＭＣＳ／ＲＶインデクス２９にＰＭＩインデクス０，１，２，３を分配し、ＭＣＳ／ＲＶインデクス３０にＰＭＩインデクス４，５を分配できる。また、ＭＣＳ／ＲＶインデクス２９及び３０にそれぞれ３個のＰＭＩインデクスを分配してもよい。
【００６０】
表６は、本発明の一実施例によってＵＬ  ＭＩＭＯのための制御情報を信号通知する他の方法を示す。本方法は、４Ｔｘアンテナ（ポート）である場合を例示する。表６は、ＰＵＳＣＨのスケジュールのためのＤＣＩの一部を示す。表６のＮＤＩフィールド及びＭＣＳ／ＲＶフィールドは、既存のＬＴＥのＤＣＩフォーマット０に含まれてもよいし、ＬＴＥ−ＡにおいてＵＬ  ＭＩＭＯのために新しく設計されたＤＣＩフォーマットに含まれてもよい。表６で、符号表は、空間多重化のために４Ｔｘのケースに対して定義された符号表を意味することができる。
【００６１】
【表７】
0005592557.tif 000008
【００６２】
表６は、表５を参照して説明したものと類似した方式で構成される。具体的には、一つの符号語が無効である場合、ＭＣＳ／ＲＶインデクス２９はランク１を示し、５ビットＰＭＩ／ＲＩフィールドを用いて、ランク１のための２４個のプリコーディング行列のいずれかを指示できる。同様に、ＭＣＳ／ＲＶインデクス３０はランク２を示し、５ビットＰＭＩ／ＲＩフィールドを用いて、ランク２のための１６個のプリコーディング行列のいずれかを指示できる。ＭＣＳ／ＲＶインデクス３１は、他の用途に使用可能である。２個の符号語がいずれも有効である場合、ランク１は存在せず、符号表は、ランク２のための１６個、ランク３のための１２個、ランク４のための１個のプリコーディング行列を含む。すべての場合の数が２９個であるため、５ビットＰＭＩ／ＲＩフィールドを用いてプリコーディング行列を信号通知することができる。したがって、本発明を４Ｔｘのケースに適用する場合、少なくとも６ビットが必要であったプリコーディング行列信号通知を、５ビットだけで行うことができる。また、符号語有効化／無効化も信号通知することができる。
【００６３】
図７は、アップリンク空間多重化のためのＤＣＩフォーマットの一部を示す。図７のＤＣＩフォーマットは、ＰＵＳＣＨのためのスケジュールに使用される。
【００６４】
図７を参照すると、ＤＣＩフォーマットは、２個の伝送ブロックのための情報を搬送する。伝送ブロック１のためにＮＤＩ １フィールド及びＭＣＳ／ＲＶ １フィールドが構成され、伝送ブロック２のためにＮＤＩ ２フィールド及びＭＣＳ／ＲＶ ２フィールドが構成される。ＰＭＩ／ＲＩフィールドは、ＤＣＩフォーマット内に一つだけが含まれる。ＮＤＩフィールドとＭＣＳ／ＲＶフィールドのサイズ及び内容は、表１及び２を参照して説明したＤＣＩフォーマット０と同一であると仮定する。また、ランク及び送信アンテナ（ポート）の構成による符号表サイズは、表３と同一であると仮定する。この場合、ＰＭＩ／ＲＩフィールドは、２Ｔｘである場合には１ビットで構成され、４Ｔｘである場合には５ビットで構成される。ＤＣＩフォーマットを検出した場合、端末は、図７に示されたフィールドから、伝送ブロックのサイズ、変調次数、冗長度バージョン（ＲＶ）、伝送ブロック有効化／無効化、送信階層（すなわち、ランク）、プリコーディング行列などを決定する。図示されたフィールドの解析は、表５及び６を参照して説明した方式で行うことができる。
【００６５】
上述した説明において、プリコーディング行列インデクスなどは、他の組合せ又は他の方法で表現してもよく、符号語無効化及びプリコーディング行列信号通知は、組合せで又は分離して具現してもよい。
【００６６】
実施例２：ＵＬ  ＭＩＭＯにおけるチャネル状態情報の送信
【００６７】
効率的な通信のためにチャネル状態情報（又は、チャネル制御情報、チャネル情報）をフィードバックによって知らせることが必要である。そのために、ダウンリンクのチャネル状態情報は、アップリンクにおいて送信され、アップリンクのチャネル状態情報は、ダウンリンクにおいて送信される。チャネル状態情報はＣＱＩを含む。ＭＩＭＯの場合、チャネル状態情報はＰＭＩ及びＲＩをさらに含む。
【００６８】
図８は、チャネル状態情報の生成及び送信を例示する概念図である。
【００６９】
図８を参照すると、端末は、ダウンリンク品質を測定し、チャネル状態情報を基地局に報告する。基地局は、報告されたチャネル状態情報によってダウンリンクスケジュール（端末の選択、リソース割当など）を行う。チャネル状態情報は、ＣＱＩ、ＰＭＩ及びＲＩのうち少なくとも一つを含む。ＣＱＩは、様々な方法で生成することができる。例えば、ＣＱＩのためにチャネル状態（又はスペクトル効率）を量子化して知らせたり、信号対干渉及びノイズ比（ＳＩＮＲ）を計算して知らせたり、ＭＣＳのようにチャネルが実際に適用される状態を知らせることができる。
【００７０】
図９は、既存のＬＴＥのＣＱＩ報告方式を例示する。
【００７１】
図９を参照すると、ＣＱＩ報告は、周期的報告と非周期的報告とに分かれる。周期的ＣＱＩ報告は、別途の信号通知なしに、決まった時点に端末がチャネル品質を報告することを意味する。反面、非周期的ＣＱＩ報告は、ネットワークが必要によって明示的信号通知を通じて端末にＣＱＩ報告を要求することを意味する。非周期的ＣＱＩ報告が必要であれば、ネットワークは、端末に、ＤＣＩフォーマット０を用いてアップリンクスケジュール許可を信号通知する。端末は、ＤＣＩフォーマット０のＣＱＩ要求の値が１である場合、非周期的ＣＱＩ報告を行う。非周期的ＣＱＩ報告（すなわち、ＣＱＩ要求＝１）は、ＣＱＩ専用（ｏｎｌｙ）（送信）モードと、ＣＱＩ＋データ（送信）モードとに分かれる。ＣＱＩ要求値が１で、ＭＣＳインデクス（ＩＭＣＳ）が２９であり、割り当てられたＰＲＢの個数が４個以下（ＮＰＲＢ≦４）であるとき、端末は、該当の信号通知をＣＱＩ専用モードと解釈する。その他の場合、端末は、該当の信号通知をＣＱＩ＋データモードと解釈する。ＣＱＩ専用モードである場合、端末は、ＰＵＳＣＨを通じて、データ（すなわち、ＵＬ−ＳＣＨ伝送ブロック）なしにチャネル状態情報だけを送信する。反面、ＣＱＩ＋データモードである場合、端末は、ＰＵＳＣＨを通じて、チャネル状態情報とデータを共に送信する。ＣＱＩ専用モードは、一般化してフィードバック専用モードと呼ぶことができ、ＣＱＩ＋データモードは、フィードバック＋データモードと呼ぶことができる。チャネル状態情報は、ＣＱＩ、ＰＭＩ及びＲＩのうち少なくとも一つを含む。
【００７２】
図１０は、ＵＬ−ＳＣＨデータ及び制御情報の処理過程を例示する。
【００７３】
図１０を参照すると、エラー検出は、ＣＲＣ付加によってＵＬ−ＳＣＨ伝送ブロックに提供される（Ｓ１００）。
【００７４】
すべての伝送ブロックが、ＣＲＣパリティビットを計算するために使用される。伝送ブロックのビットはａ０，ａ１，ａ２，ａ３，…，ａＡ−１である。パリティビットはｐ０，ｐ１，ｐ２，ｐ３，…，ｐＬ−１である。伝送ブロックの大きさはＡであり、パリティビットの数はＬである。
【００７５】
伝送ブロックＣＲＣ付着後に、符号ブロック分割及び符号ブロックＣＲＣ付加が行われる（Ｓ１１０）。符号ブロック分割に対するビット入力は、ｂ０，ｂ１，ｂ２，ｂ３，…，ｂＢ−１である。Ｂは、伝送ブロック（ＣＲＣ含み）のビット数である。符号ブロック分割後のビットは、ｃｒ０，ｃｒ１，ｃｒ２，ｃｒ３，…，ｃｒ（Ｋｒ−１）となる。ｒは、符号ブロック番号を示し（ｒ＝０，１，…，Ｃ−１）、Ｋｒは、符号ブロックｒのビット数を示す。Ｃは、符号ブロックの総数を示す。
【００７６】
チャネル符号化は、符号ブロック分割と符号ブロックＣＲＣの後に行われる（Ｓ１２０）。チャネル符号化後のビットは、ｄ（ｉ）ｒ０，ｄ（ｉ）ｒ１，ｄ（ｉ）ｒ２，ｄ（ｉ）ｒ３，…，ｄ（ｉ）ｒ（Ｄｒ−１）となる。ｉ＝０，１，２であり、Ｄｒは、符号ブロックｒのためのｉ番目の符号化されたストリームのビット数を示す（すなわち、Ｄｒ＝Ｋｒ＋４）。ｒは、符号ブロック番号を示し（ｒ＝０，１，…，Ｃ−１）、Ｋｒは、符号ブロックｒのビット数を示す。Ｃは、符号ブロックの総数を示す。チャネル符号化のためにターボ符号化を使用してもよい。
【００７７】
速度整合（ｒａｔｅ  ｍａｔｃｈｉｎｇ）は、チャネル符号化の後に行われる（Ｓ１３０）。速度整合後のビットは、ｅｒ０，ｅｒ１，ｅｒ２，ｅｒ３，…，ｅｒ（Ｅｒ−１）となる。Ｅｒは、ｒ番目の符号ブロックの速度整合されたビットの数である。ｒ＝０，１，…，Ｃ−１であり、Ｃは、符号ブロックの総数を示す。
【００７８】
符号ブロック連結は、速度整合の後に行われる（Ｓ１４０）。符号ブロックを連結した後、ビットはｆ０，ｆ１，ｆ２，ｆ３，…，ｆＧ−１となる。Ｇは、送信のための符号化されたビットの総数を示す。制御情報がＵＬ−ＳＣＨ送信と多重化される場合、制御情報の送信に使用されるビットはＧに含まれない。ｆ０，ｆ１，ｆ２，ｆ３，…，ｆＧ−１は、ＵＬ−ＳＣＨ符号語に該当する。
【００７９】
アップリンク制御情報の場合、チャネル品質情報（ＣＱＩ及び／又はＰＭＩ）、ＲＩ及びＨＡＲＱ−ＡＣＫのチャネル符号化がそれぞれ独立して行われる。ＵＣＩのチャネル符号化は、それぞれの制御情報のための符号化されたシンボルの個数に基づいて行われる。例えば、符号化されたシンボルの個数は、符号化された制御情報の速度整合に使用されうる。符号化されたシンボルの個数は、以降の過程で変調シンボルの個数、ＲＥの個数などに対応する。
【００８０】
チャネル品質情報のチャネル符号化は、入力ビットシーケンスｏ０，ｏ１，ｏ２，…，ｏｏ−１を用いて行われる（Ｓ１５０）。チャネル品質情報のためのチャネル符号化の出力ビットシーケンスは、ｑ０，ｑ１，ｑ２，ｑ３，…，ｑＱＣＱＩ−１となる。チャネル品質情報は、ビット数によって、適用されるチャネル符号化方式が変わる。また、チャネル品質情報は、１１ビット以上の場合にＣＲＣビットが付加される。ＱＣＱＩは、符号化されたビットの総数を示す。ビットシーケンスの長さをＱＣＱＩに合せるために、符号化されたチャネル品質情報は速度整合され得る。ＱＣＱＩ＝Ｑ’ＣＱＩ×Ｑｍであり、Ｑ’ＣＱＩは、ＣＱＩのための符号化されたシンボルの個数であり、Ｑｍは、変調次数である。Ｑｍは、ＵＬ−ＳＣＨデータと同一に設定される。
【００８１】
ＲＩのチャネル符号化は、入力ビットシーケンス［ｏＲＩ０］又は［ｏＲＩ０ ｏＲＩ１］を用いて行われる（Ｓ１６０）。［ｏＲＩ０］及び［ｏＲＩ０ ｏＲＩ１］は、それぞれ１ビットＲＩ及び２ビットＲＩを意味する。
【００８２】
１ビットＲＩの場合、反復符号化が使用される。２ビットＲＩの場合、（３，２）単信符号（ｓｉｍｐｌｅｘ  ｃｏｄｅ）が使用され、符号化されたデータは循環的に繰り返すことができる。出力ビットシーケンスｑＲＩ０，ｑＲＩ１，ｑＲＩ２，…，ｑＲＩＱＲＩ−１は、符号化されたＲＩブロックの結合によって得られる。ＱＲＩは、符号化されたビットの総数を示す。符号化されたＲＩの長さをＱＲＩに合せるために、最後に結合される符号化されたＲＩブロックは一部分であっても良い（すなわち、速度整合）。ＱＲＩ＝Ｑ’ＲＩ×Ｑｍであり、Ｑ’ＲＩは、ＲＩのための符号化されたシンボルの個数であり、Ｑｍは、変調次数である。Ｑｍは、ＵＬ−ＳＣＨデータと同一に設定される。
【００８３】
ＨＡＲＱ−ＡＣＫのチャネル符号化は、ステップＳ１７０の入力ビットシーケンス［ｏＡＣＫ０］［ｏＡＣＫ０ ｏＡＣＫ１］又は［ｏＡＣＫ０ ｏＡＣＫ１…ｏＡＣＫＯＡＣＫ−１］を用いて行われる。［ｏＡＣＫ０］及び［ｏＡＣＫ０ ｏＡＣＫ１］は、それぞれ１ビットＨＡＲＱ  ＡＣＫ及び２ビットＨＡＲＱ  ＡＣＫを意味する。また、［ｏＡＣＫ０ ｏＡＣＫ１…ｏＡＣＫＯＡＣＫ−１］は、２ビット以上の情報で構成されたＨＡＲＱ  ＡＣＫを意味する（すなわち、ＯＡＣＫ＞２）。ＡＣＫは１に符号化され、ＮＡＣＫは０に符号化される。１ビットＨＡＲＱ  ＡＣＫの場合、反復符号化が使用される。２ビットＨＡＲＱ  ＡＣＫの場合、（３，２）単信符号が使用され、符号化されたデータは、循環的に繰り返すことができる。ＱＡＣＫは、符号化されたビットの総数を示し、ビットシーケンスｑＡＣＫ０，ｑＡＣＫ１，ｑＡＣＫ２，…，ｑＡＣＫＱＡＣＫ−１は、符号化されたＨＡＲＱ  ＡＣＫブロックの結合によって得られる。ビットシーケンスの長さをＱＡＣＫに合せるために、最後に結合される符号化されたＨＡＲＱ  ＡＣＫブロックは一部分であっても良い（すなわち、速度整合）。ＱＡＣＫ＝Ｑ’ＡＣＫ×Ｑｍであり、Ｑ’ＡＣＫは、ＨＡＲＱ  ＡＣＫのための符号化されたシンボルの個数であり、Ｑｍは、変調次数である。Ｑｍは、ＵＬ−ＳＣＨデータと同一に設定される。
【００８４】
データ／制御多重化ブロックの入力は、符号化されたＵＬ−ＳＣＨビットを意味するｆ０，ｆ１，ｆ２，ｆ３，…，ｆＧ−１と、符号化されたＣＱＩ／ＰＭＩビットを意味するｑ０，ｑ１，ｑ２，ｑ３，…，ｑＱＣＱＩ−１である（Ｓ１８０）。データ／制御多重化ブロックの出力は、ｇ０，ｇ１，ｇ２，ｇ３，…，ｇＨ’−１である。ｇｉは、長さＱｍのカラムベクトル（ｉ＝０，…，Ｈ’−１）である。Ｈ’＝Ｈ／Ｑｍであり、Ｈ＝（Ｇ＋ＱＣＱＩ）である。Ｈは、ＵＬ−ＳＣＨデータ及びＣＱＩ／ＰＭＩのために割り当てられた符号化されたビットの総数である。
【００８５】
チャネルインタリーバの入力は、データ／制御多重化ブロックの出力ｇ０，ｇ１，ｇ２，ｇ３，…，ｇＨ’−１、符号化されたランク指示子ｑＲＩ０，ｑＲＩ１，ｑＲＩ２，…，ｑＲＩＱ’ＲＩ−１及び符号化されたＨＡＲＱ  ＡＣＫ  ｑＡＣＫ０，ｑＡＣＫ１，ｑＡＣＫ２，…，ｑＡＣＫＱ’ＡＣＫ−１を含む（Ｓ１９０）。ｇｉは、ＣＱＩ／ＰＭＩのための長さＱｍのカラムベクトルであり、ｉ＝０，…，Ｈ’−１（Ｈ’＝Ｈ／Ｑｍ）である。ｑＡＣＫｉは、ＡＣＫ／ＮＡＣＫのための長さＱｍのカラムベクトルであり、ｉ＝０，…，Ｑ’ＡＣＫ−１（Ｑ’ＡＣＫ＝ＱＡＣＫ／Ｑｍ）である。ｑＲＩｉは、ＲＩのための長さＱｍのカラムベクトルであり、ｉ＝０，…，Ｑ’ＲＩ−１（Ｑ’ＲＩ＝ＱＲＩ／Ｑｍ）である。
【００８６】
チャネルインタリーバは、ＰＵＳＣＨ送信のために制御情報及びＵＬ−ＳＣＨデータを多重化する。具体的に、チャネルインタリーバは、ＰＵＳＣＨリソースに対応するチャネルインタリーバ行列に、制御情報とＵＬ−ＳＣＨデータをマップする過程を含む。
【００８７】
チャネルインタリーブが行われた後、チャネルインタリーバ行列から行ごと（ｒｏｗ  ｂｙ  ｒｏｗ）に読み出されたビットシーケンスｈ０，ｈ１，ｈ２，…，ｈＨ＋ＱＲＩ−１が出力される。読み出されたビットシーケンスは、リソースグリッド上にマップされる。Ｈ’’＝Ｈ’＋Ｑ’ＲＩ個の変調シンボルが、サブフレームを通じて送信される。
【００８８】
図１１は、ＰＵＳＣＨ上で制御情報及びＵＬ−ＳＣＨデータの多重化を示す。ＰＵＳＣＨ送信が割り当てられたサブフレームで制御情報を送信しようとする場合、端末は、ＤＦＴ拡散の前に制御情報（ＵＣＩ）及びＵＬ−ＳＣＨデータを共に多重化する。制御情報は、ＣＱＩ／ＰＭＩ、ＨＡＲＱ  ＡＣＫ／ＮＡＣＫ及びＲＩのうち少なくとも一つを含む。ＣＱＩ／ＰＭＩ、ＡＣＫ／ＮＡＣＫ及びＲＩ送信に使用されるそれぞれのＲＥの個数は、ＰＵＳＣＨ送信のために割り当てられたＭＣＳ及びオフセット値（ΔＣＱＩｏｆｆｓｅｔ、ΔＨＡＲＱ−ＡＣＫｏｆｆｓｅｔ，ΔＲＩｏｆｆｓｅｔ）に基づく。オフセット値は、制御情報によって互いに異なる符号化速度を許容し、上位層（例えば、ＲＲＣ）シグナルによって半静的に設定される。ＵＬ−ＳＣＨデータと制御情報は、同一のＲＥにマップされない。制御情報は、サブフレームの２スロット両方に存在するようにマップされる。基地局は、制御情報がＰＵＳＣＨを通じて送信されることを事前に知ることができるため、制御情報及びデータパケットを容易に逆多重化することができる。
【００８９】
図１１を参照すると、ＣＱＩ及び／又はＰＭＩ（ＣＱＩ／ＰＭＩ）リソースは、ＵＬ−ＳＣＨデータリソースの開始部分に位置し、一つの副搬送波上ですべてのＳＣ−ＦＤＭＡシンボルに順次にマップされた後に、次の副搬送波でマップが行われる。ＣＱＩ／ＰＭＩは、副搬送波内で左側から右側に、すなわち、ＳＣ−ＦＤＭＡシンボルインデクスが増加する方向にマップされる。ＰＵＳＣＨデータ（ＵＬ−ＳＣＨデータ）は、ＣＱＩ／ＰＭＩリソースの量（すなわち、符号化されたシンボルの個数）を考慮して速度整合される。ＵＬ−ＳＣＨデータと同一の変調次数がＣＱＩ／ＰＭＩに使用される。ＣＱＩ／ＰＭＩ情報サイズ（ペイロードサイズ）が小さい場合（例えば、１１ビット以下）、ＣＱＩ／ＰＭＩ情報には、ＰＵＣＣＨ送信時と同様に（３２，ｋ）ブロック符号が使用され、符号化されたデータは循環的に繰り返すことができる。ＣＱＩ／ＰＭＩ情報サイズが小さい場合、ＣＲＣは使用されない。ＣＱＩ／ＰＭＩ情報サイズが大きい（例えば、１１ビットを超える場合）、８ビットＣＲＣが付加され、末尾喰い畳み込み符号（ｔａｉｌ−ｂｉｔｉｎｇ  ｃｏｎｖｏｌｕｔｉｏｎａｌ  ｃｏｄｅ）を用いて、チャネル符号化及び速度整合が行われる。ＡＣＫ／ＮＡＣＫは、ＵＬ−ＳＣＨデータがマップされたＳＣ−ＦＤＭＡのリソースの一部にパンクチャによって挿入される。ＡＣＫ／ＮＡＣＫは、ＲＳに隣接して位置し、該当のＳＣ−ＦＤＭＡシンボル内で下側から始めて上側に、すなわち、副搬送波インデクスが増加する方向に埋められる。正規ＣＰである場合、図示したように、ＡＣＫ／ＮＡＣＫのためのＳＣ−ＦＤＭＡシンボルは、各スロットにおいてＳＣ−ＦＤＭＡシンボル＃２／＃５に位置する。サブフレームでＡＣＫ／ＮＡＣＫが実際に送信されるか否かにかかわらず、符号化されたＲＩは、ＡＣＫ／ＮＡＣＫのためのシンボルに隣接して位置する。ＡＣＫ／ＮＡＣＫ、ＲＩ及びＣＱＩ／ＰＭＩは独立して符号化される。
【００９０】
ＬＴＥにおいて制御情報（例えば、ＱＰＳＫ変調を使用）は、ＵＬ−ＳＣＨデータなしにＰＵＳＣＨ上で送信されるようにスケジュールすることができる。具体的に、図９のＣＱＩ専用モードである場合、端末は、ＵＬ−ＳＣＨのための伝送ブロックなしにチャネル状態情報だけを送信する。この場合、制御情報（ＣＱＩ／ＰＭＩ、ＲＩ及び／又はＡＣＫ／ＮＡＣＫ）は、低い３次計量（Ｃｕｂｉｃ  Ｍｅｔｒｉｃ，ＣＭ）の単一搬送波特性を維持するために、ＤＦＴ拡散の前に多重化される。ＡＣＫ／ＮＡＣＫ、ＲＩ及びＣＱＩ／ＰＭＩを多重化することは、図１０で示したものと同様である。ＡＣＫ／ＮＡＣＫのためのＳＣ−ＦＤＭＡシンボルは、ＲＳに隣接して位置し、ＣＱＩがマップされたリソースをパンクチャすることができる。ＡＣＫ／ＮＡＣＫ及びＲＩのためのＲＥの個数は、基準ＭＣＳ（ＣＱＩ／ＰＭＩ  ＭＣＳ）及びオフセットパラメータ（ΔＣＱＩｏｆｆｓｅｔ、ΔＨＡＲＱ−ＡＣＫｏｆｆｓｅｔ，又はΔＲＩｏｆｆｓｅｔ）に基づく。基準ＭＣＳは、ＣＱＩペイロードサイズ及びリソース割当から計算される。ＵＬ−ＳＣＨデータがない制御信号通知のためのチャネル符号化及び速度整合は、上述したＵＬ−ＳＣＨデータがある制御信号通知の場合と同一である。
【００９１】
以降、ＵＬ  ＭＩＭＯでチャネル状態情報（ＣＳＩ）を送信するための方法を提案する。以下の説明は、アップリンクにおいて複数アンテナポートをサポートし、２個の符号語（又は伝送ブロック）をサポートする場合を中心に記述するが、これは例示であって、より多くの数の符号語（又は伝送ブロック）がサポートされる場合にも同一に適用される。符号語及び伝送ブロックは、特別に言及がない限り、均等な意味を有し、互いに混用される。発明の理解を助けるために、以下の説明は、チャネル状態情報の代表例としてＣＱＩを使用して記述し、これらは互いに混用してもよい。
【００９２】
実施例  ２−１
【００９３】
本実施例は、ＣＱＩ専用モードを行う場合に、一つの符号語だけを用いてチャネル状態情報を報告することを提案する。したがって、ＣＱＩ専用モードを行うときに一つの符号語（又は伝送ブロック）だけが有効化される。そのために、残りの符号語（又は伝送ブロック）は、無効として信号通知することができる。例えば、ＤＣＩが２個の伝送ブロックのためのものであれば、ＤＣＩは、一方の伝送ブロックは有効であり、他方の伝送ブロックは無効であることを端末に指示するための信号通知情報を運ぶことができる。伝送ブロック（又は符号語）の有効化／無効化は、ＤＣＩ内の２つの情報の組合せによって指示することができ、そのうち一つの情報は、ＭＣＳ情報であってもよい。好ましくは、無効化された伝送ブロック（又は符号語）がある場合、該当の伝送ブロック（又は符号語）のＭＣＳ情報は、ＲＶバージョンに関連するインデクスを指示することができる。また、一つの符号語がＣＱＩ専用モードである場合、残りの符号語（又は伝送ブロック）は、別途の信号通知なしに無効として認識することができる。
【００９４】
既存のＬＴＥにおけるＣＱＩ専用モードのための条件を共に考慮すると、ＵＬ  ＭＩＭＯにおけるＣＱＩ専用モードのための条件は、一つの伝送ブロックが有効化され、チャネル状態情報要求のための情報（例えば、ＣＱＩ要求）が１を指示し、有効化された伝送ブロックのためのＭＣＳ情報がＭＣＳインデクス（例えば、ＩＭＣＳ）２９を指示し、割り当てられたリソースブロックの個数（例えば、ＮＰＲＢ）が４個以下を指示する場合を含むことができる。この場合、端末は、一つの有効化された伝送ブロックのためのリソース（例えば、変調次数、階層、リソースブロックなど）を用いて、チャネル状態情報を、ＵＬ−ＳＣＨのための伝送ブロックなしにＰＵＳＣＨを通じて送信する。ＵＬ−ＳＣＨのための伝送ブロックなしにチャネル状態情報だけを送信することは、これに制限されるものではないが、有効化された伝送ブロックのための伝送ブロックサイズを決定する過程を通じて具現可能である。
【００９５】
本実施例によれば、複数の符号語のうち、チャネル状態情報のための一つの符号語を除いては、すべて無効化されるため、ＵＬ  ＭＩＭＯにおいてデータ送信のための空間リソースが浪費されることがある。しかし、本実施例によれば、データと共にＣＱＩ情報を送信する場合に比べて、ＣＱＩ情報の誤り率を減少させることができるので、チャネル状態情報の信頼性を増加させることができる。
【００９６】
実施例  ２−１ａ
【００９７】
本実施例は、ＣＱＩ専用モードを行う場合に、追加的にチャネル状態情報のための送信階層を１個に制限（ランク１送信）することを提案する。したがって、既存のＬＴＥにおけるＣＱＩ専用モードのための条件を共に考慮すると、ＵＬ  ＭＩＭＯにおけるＣＱＩ専用モードのための条件は、１個の伝送ブロックだけが有効化され、送信階層の個数が１個であり、ＣＱＩ要求＝１、ＩＭＣＳ＝２９、及びＮＰＲＢ≦４である場合を含む。伝送ブロックの無効化は信号通知を通じて伝達され、又は一つの伝送ブロックがＣＱＩ専用モードである場合、残りの伝送ブロックは別途の信号通知なしに無効として認識することができる。
【００９８】
実施例  ２−１ｂ
【００９９】
本実施例は、ＣＱＩ専用モードを行う場合に、チャネル状態情報のための階層を２個（ランク２送信）に拡張して多重化利得を得ることができる方法を提案する。本実施例において、ＣＱＩ専用モードは、実施例２−１ａと同一の方法で起動（ｔｒｉｇｇｅｒ）することができ、無効化も同じ方法で具現可能である。チャネル状態情報のための送信階層の個数は、新規ＤＣＩフォーマットと共に送信されるＰＭＩ／ＲＩフィールドを通じて知ることができる。ＬＴＥ−Ａアップリンクの場合、再送信のために１符号語２階層送信に対する規則があるので（図６参照）、ＣＱＩ専用モードのために追加的に１符号語対２階層マップ規則を定義する必要はない。
【０１００】
図１２は、本発明の実施例によってチャネル状態情報を送信する例を示す。
【０１０１】
図１２を参照すると、端末は、ＰＵＳＣＨスケジュールに使用されるダウンリンク制御情報（ＤＣＩ）を受信する（Ｓ１２１０）。本実施例において、ＤＣＩは、ＵＬ  ＭＩＭＯ空間多重化のためのものであって、リソースブロック割当のための情報、チャネル状態情報要求のための情報、複数の伝送ブロックのための複数のＭＣＳ情報を含む。端末は、所定の条件を満足する場合、ＰＵＳＣＨを通じてＵＬ−ＳＣＨのための伝送ブロックなしにチャネル状態情報だけを送信する（Ｓ１２２０）。すなわち、所定の条件を満足する場合、端末は、ＣＱＩ専用モードを行う。
【０１０２】
実施例２−１によれば、所定の条件は、一つの伝送ブロックだけが有効化され、チャネル状態情報要求のための情報（例えば、ＣＱＩ要求）（１ビット）が１を指示し、有効化された伝送ブロックのためのＭＣＳ情報（５ビット）がＭＣＳインデクス（例えば、ＩＭＣＳ）２９を指示し、割り当てられたリソースブロックの個数（ＮＰＲＢ）が４個以下を指示する場合を含む。また、実施例２−１ａによれば、所定の条件は、１個の伝送ブロックだけが有効化され、送信階層の個数が１個であり、ＣＱＩ要求＝１、ＩＭＣＳ＝２９及びＮＰＲＢ≦４である場合を含む。
【０１０３】
便宜上、図１２は、端末の立場で例示されたが、基地局において対応する動作が行われることは自明である。例えば、基地局は、チャネル状態情報を要求するためのＤＣＩを構成／送信し、ＰＵＳＣＨを通じて伝送ブロックなしにチャネル状態情報だけを受信し、チャネル状態情報を処理し、そして必要な場合にダウンリンクスケジュールを行う。
【０１０４】
図１３は、チャネル状態情報を送信するためのブロック図を例示する。便宜上、図１３は、符号語０（ＣＷ０）（又は、対応する伝送ブロック）が有効化され、符号語１（ＣＷ１）（又は、対応する伝送ブロック）が無効化された場合を仮定する。
【０１０５】
図１３を参照すると、チャネル状態情報は、ＣＷ０を用いてだけ送信される。ここで、ＣＷ０は、ＵＬ−ＳＣＨ伝送ブロックとチャネル状態情報が多重化された結果を示し、ＣＱＩ専用モードの条件が満足される場合、ＣＷ０はチャネル状態情報だけを含む。すなわち、ＣＱＩ専用モードが行われる場合、ＣＷ０にはＵＬ−ＳＣＨのための伝送ブロックが含まれない。ＣＷ０は、スクランブル、変調マッパ、階層マッパ及びＳＣ−ＦＤＭＡマッパを経て送信される。階層マッパは、符号語を階層にマップする（例えば、図６参照）。実施例２−１ａ及び２−１ｂで提案したように、ＣＱＩ専用モードを行う場合、送信階層の個数は１個又は２個に制限することができる。ＳＣ−ＦＤＭＡ変調マッパは、ＤＦＴブロック、プリコーダ、副搬送波マップブロック、ＩＤＦＴブロック、ＣＰ付加ブロックを含む。プリコーダは、プリ符号化行列を用いて階層をアンテナポートにマップする。
【０１０６】
実施例  ２−２
【０１０７】
本実施例は、２個の符号語をいずれも使用して、一つの符号語はＣＱＩ専用モード、残りの符号語はデータ送信に用いられる信号通知方法を提案する。本実施例によれば、チャネル状態情報及びデータを互いに異なる符号語を用いて送信することによって、チャネル状態情報送信の信頼性を高めることができる。また、既存のＬＴＥでは、チャネル状態情報が速度整合又はパンクチャを用いてＰＵＳＣＨに多重化されることによって、ＰＵＳＣＨの符号化利得が減少したが、本実施例によれば、ＰＵＳＣＨの符号化利得を損なわずに、既存に比べてデータの信頼性を増加させることができる。
【０１０８】
実施例２−２ａ
【０１０９】
本実施例は、これに制限されるものではないが、実施例２−２を円滑に動作させるための信号通知規則、又は端末の信号通知解析方法を提案する。ＵＬ  ＭＩＭＯにおいて複数（例えば、２個）の符号語送信をサポートすることによって、非周期的ＣＱＩが送信されるとき、ＣＱＩが多重化される符号語を決定する規則が必要である。本実施例で提案するＣＱＩ多重化規則は、次の通りである。下記の規則は、ＣＱＩ専用モードである場合にも適用可能である。
【０１１０】
規則  １．１）
【０１１１】
最も高いＩＭＣＳの符号語（又は伝送ブロック）にＣＱＩを多重化する。表２を参照すると、ＩＭＣＳが高いほど該当の符号語（又は伝送ブロック）のためのチャネル状態が良いため、最も高いＩＭＣＳの符号語（又は伝送ブロック）にＣＱＩを多重化することによって、チャネル状態情報の伝送の信頼性を高めることができる。
【０１１２】
規則  １．２）
【０１１３】
２個の符号語（又は伝送ブロック）に対するＩＭＣＳが同じ場合、符号語０（１番目の符号語）にＣＱＩを多重化する。
【０１１４】
上述した説明は、一つの符号語はＣＱＩ専用モードで動作する場合を仮定しているが、実施例２−２ａによる２つの規則は、チャネル状態情報とデータをＰＵＳＣＨに多重化する場合に一般的に適用されうる。例えば、２個の符号語両方にデータが送信され、このうち一つの符号語にチャネル状態情報を多重化しなければならない場合、上述した２つの規則が適用されうる。
【０１１５】
また、ＣＱＩ専用モードである場合（例えば、ＣＱＩ要求＝１、ＩＭＣＳ＝２９、ＮＰＲＢ≦４である場合）、追加的に下記の規則を最優先に適用することができる。
【０１１６】
規則  ２）
【０１１７】
２個の符号語（又は伝送ブロック）に対するＩＭＣＳのうちＩＭＣＳ＝２９である符号語にＣＱＩを多重化する。
【０１１８】
実施例２−２ａを適用する場合、一つの例外的な場合が発生する。２個の符号語に対するＩＭＣＳがいずれも２９であり、ＣＱＩ要求＝１、ＮＰＲＢ≦４である場合、すなわち、一方の符号語では再送信を行い、他方の符号語ではＣＱＩ専用モードを行わなければならない場合が生じうる。この場合、端末は、どの符号語にＣＱＩが多重化されるのか解析できなくなる。このような例外的な場合に対して、次のような解決方法を提案する。第１の解決方法として、規則１．２を適用して１番目の符号語にＣＱＩ専用モードを適用できる。第２の解決方法として、ＣＱＩ専用モードが適用された符号語だけ送信し（規則１．２を適用して１番目の符号語にＣＱＩ専用モードを適用できる）、残りの符号語は無効化することができる。
【０１１９】
図１４は、チャネル状態情報を送信するためのブロック図を例示する。
【０１２０】
図１４を参照すると、チャネル状態情報は、ＣＷ０を用いて送信され、データ（例えば、ＵＬ−ＳＣＨのための伝送ブロック）は、ＣＷ１を用いて送信される。ＣＷ０は、ＵＬ−ＳＣＨ伝送ブロック及びチャネル状態情報が多重化された結果を示す。ＣＱＩ専用モードである場合、ＣＷ０は、ＵＬ−ＳＣＨのための伝送ブロックなしにチャネル状態情報だけを含む。一方、図示してはいないが、ＣＱＩ＋データモードである場合、ＣＷ０は、該当の伝送ブロックとチャネル状態情報をいずれも含む。ＣＷ０及びＣＷ１は、それぞれスクランブル、変調マッパ、階層マッパ及びＳＣ−ＦＤＭＡマッパを経て送信される。ＳＣ−ＦＤＭＡ変調マッパは、ＤＦＴブロック、プリコーダ、副搬送波マップブロック、ＩＤＦＴブロック、ＣＰ付加ブロックを含む。ここで、ＣＷ０のためのＩＭＣＳは、ＣＷ１のためのＩＭＣＳよりも高いか（規則１．１）、又はＣＷ０のためのＩＭＣＳとＣＷ１のためのＩＭＣＳとは同一である（規則１．２）。また、ＣＷ０のためのＩＭＣＳは２９であり、ＣＷ１のためのＩＭＣＳは、他の値を有する（規則２）。
【０１２１】
上述した実施例１及び２は、符号語（又は伝送ブロック）無効化方式及びチャネル状態情報の送信を含み、それぞれの実施例は、単独で又は組合せで使用できる。以下、図面を参照して、上述した符号語（又は伝送ブロック）無効化方式とチャネル状態情報の送信方法とを組み合せる場合の多様なケースを例示する。
【０１２２】
図１５は、本発明の実施例に係るＤＣＩ構成及び端末解析を例示する。
【０１２３】
図１５（ａ）は、ＬＴＥ−ＡアップリンクＭＩＭＯのために新しく追加されるＤＣＩフォーマットの一部を示す。
【０１２４】
図１５（ａ）を参照すると、ＤＣＩフォーマットは、１番目の伝送ブロックのためのＭＣＳフィールド及びＮＤＩフィールド、２番目の伝送ブロックのためのＭＣＳフィールド及びＮＤＩフィールド、ＰＭＩ／ＲＩフィールド、リソース割当フィールド（Ｎ_ＰＲＢ）、チャネル状態情報要求フィールド（ＣＱＩ要求）を含む。
【０１２５】
図１５（ｂ）〜（ｅ）は、上述した符号語（又は伝送ブロック）無効化方式とチャネル状態情報の送信方法とを組み合せる場合のＤＣＩ構成及び端末の解析について例示する。図１５（ｂ）及び（ｃ）は、２Ｔｘの場合を例示し、図１５（ｄ）及び（ｅ）は４Ｔｘの場合を例示する。
【０１２６】
図１５（ｂ）は、２Ｔｘの場合に一方の符号語は無効化され、他方の符号語を用いてＣＱＩ専用モードが動作する場合に対する例を示す。
【０１２７】
図１５（ｂ）を参照すると、ＣＷ０は、ＭＣＳ／ＲＶ＝３０であり、該当のＮＤＩがトグルされたため、ＣＷ０は無効化される（表５参照）。この場合、ＰＭＩ／ＲＩが１であるので、有効化されたＣＷ（ＣＷ１）は、２Ｔｘのためのランク１符号表のインデクスが２であるプリコーディング行列によってプリコーディングされる（表５参照）。また、ＣＷ０は、無効化され、ＣＷ１は、ＭＣＳ／ＲＶ＝２９、ＣＱＩ要求＝１、Ｎ_ＰＲＢ≦４である条件を満足するため、ＣＱＩ専用モードで動作する。図１５（ｂ）は、ＣＱＩ専用モードで送信階層の個数が１個に制限された場合を示すこともある。
【０１２８】
図１５（ｃ）は、２Ｔｘの場合に２個の符号語両方でデータが送信され、そのうち一つの符号語は、ＣＱＩが多重化される場合を示す。
【０１２９】
図１５（ｃ）を参照すると、ＣＷ０、ＣＷ１両方ともＭＣＳ／ＲＶが２８以下であり、ＮＤＩがトグルされたため、２つの符号語がいずれも初期送信であることを示す。ＣＱＩ要求＝１であるため、ＣＱＩはデータと共に多重化される。この場合、実施例２−２ａの規則に従って、チャネル状態情報は、最も高いＩＭＣＳを有する符号語（又は伝送ブロック）であるＣＷ０に多重化される。また、２個の符号語がいずれも有効であれば、プリコーディング行列が一つだけ存在するため、ＰＭＩ／ＲＩフィールドの値は他の用途に使用され得る。
【０１３０】
図１５（ｄ）は、４Ｔｘの場合に一方の符号語は無効化され、他方の符号語を通じてＣＱＩ専用モードが動作する場合に対する実施例を示す。
【０１３１】
図１５（ｄ）を参照すると、ＣＷ０は、ＭＣＳ／ＲＶ＝３０であり、該当のＮＤＩがトグルされたため、無効化される（表６参照）。この場合、ＰＭＩ／ＲＩが１２であるので、残りのＣＷ（ＣＷ１）は、４Ｔｘのためのランク２符号表において１２が意味するプリコーディング行列（例えば、ランク２）によってプリコーディングされる（表６参照）。また、ＣＷ１は、ＭＣＳ／ＲＶ＝２９、ＣＱＩ要求＝１、Ｎ_ＰＲＢ≦４である条件を満足するため、ＣＱＩ専用モードで動作する。本実施例は、一つの符号語を用いてＣＱＩ専用モードが動作し、チャネル状態情報が２個の階層を通じて送信される場合を示すこともある。
【０１３２】
図１５（ｅ）は、４Ｔｘの場合に２個の符号語両方でデータが送信され、そのうち一つの符号語にＣＱＩが多重化される場合を示す。
【０１３３】
図１５（ｅ）を参照すると、ＣＷ０、ＣＷ１両方ともＭＣＳ／ＲＶが２８以下であり、ＮＤＩがトグルされたため、２つの符号語がいずれも初期送信であることを示す。ＣＱＩ要求＝１であるため、ＣＱＩはデータと共に多重化される。この場合、実施例２−２ａの規則に従って、２つの符号語のＭＣＳ／ＲＶ（ＩＭＣＳ）が同一であるため、チャネル状態情報は、１番目の符号語（又は伝送ブロック）であるＣＷ０に多重化される。また、４Ｔｘに対するランク２、ランク３、ランク４の符号表においてインデクス６が意味するプリコーディング行列が使用される。
【０１３４】
実施例３：チャネル状態情報の変調次数制御
【０１３５】
本実施例は、搬送波集約（Ｃａｒｒｉｅｒ  Ａｇｇｒｅｇａｔｉｏｎ、ＣＡ）などによってＣＱＩに対するペイロードが急激に増加する場合、ＣＱＩ専用モードにおけるＣＱＩ送信方法を提案する。既存のＬＴＥのＣＱＩ専用モードは、変調次数が２（ＱＰＳＫ）に限定されている。そのため、ＣＱＩペイロードが増加すると、符号化速度が増加するという問題点が生じる。したがって、本発明では、基地局から受けた情報を通じて変調次数・符号速度積（Ｍｏｄｕｌａｔｉｏｎ  ｏｒｄｅｒ  Ｐｒｏｄｕｃｔ  ｃｏｄｅ  Ｒａｔｅ，ＭＰＲ）を計算し、計算されたＭＰＲが一定数値以上である場合、チャネル状態情報の変調次数を変更することを提案する。ＭＰＲは、次のように計算できる。
【数１】
0005592557.tif 000009
【０１３６】
すなわち、符号化速度と変調次数との積で表現可能であり、端末は、可用リソース要素（ＲＥ）の数及びＣＱＩペイロードサイズを用いてＭＰＲを算出できる。
【０１３７】
例えば、符号化速度１／３が復調のための適正符号化速度と仮定すれば、それぞれの変調次数によるＭＰＲの最高値は、ＱＰＳＫ＝（１／３）＊２＝２／３、１６ＱＡＭ＝（１／３）＊４＝４／３、６４ＱＡＭ＝（１／３）＊６＝２のように求めることができ、ＭＰＲが各数値を超えると、チャネル状態情報の変調次数を増加させることができる。具体的に、ＣＱＩペイロードが３６０ビットであり、可用のＲＥの個数が１００個である場合、ＭＰＲは３．６であり、符号化速度１／３を基準とした場合、６４ＱＡＭとして変調次数を決定することができる。
【０１３８】
上記のようにＣＱＩペイロードが増加する場合、ＱＰＳＫや１６ＱＡＭは、高い符号化速度によって性能を保証できない場合が生じるため、適切なＭＰＲ値を指定して変調次数を増加させることができるようにして、ＣＱＩペイロードが増加する場合にもＣＱＩ送信性能を維持できる。ＭＰＲ以外に符号化利得を用いて同一の内容を具現してもよい。
【０１３９】
図１６は、本発明の一実施例に適用されうる基地局及び端末を例示する。無線通信システムにリレーが含まれる場合、バックホールリンクにおいて通信は、基地局とリレーとの間で行われ、アクセスリンクにおいて通信は、リレーと端末との間で行われる。したがって、図面に例示された基地局又は端末は、状況に合わせてリレーに代替可能である。
【０１４０】
図１６を参照すると、無線通信システムは、基地局（ＢＳ）１１０及び端末（ＵＥ）１２０を含む。基地局１１０は、プロセッサ１１２、メモリ１１４及び無線周波（ＲＦ）ユニット１１６を含む。プロセッサ１１２は、本発明で提案した手順及び／又は方法を具現するように構成できる。メモリ１１４は、プロセッサ１１２と接続され、プロセッサ１１２の動作と関連した様々な情報を記憶する。ＲＦユニット１１６は、プロセッサ１１２と接続され、無線信号を送信及び／又は受信する。端末１２０は、プロセッサ１２２、メモリ１２４及びＲＦユニット１２６を含む。プロセッサ１２２は、本発明で提案した手順及び／又は方法を具現するように構成できる。メモリ１２４は、プロセッサ１２２と接続され、プロセッサ１２２の動作と関連した様々な情報を記憶する。ＲＦユニット１２６は、プロセッサ１２２と接続され、無線信号を送信及び／又は受信する。基地局１１０及び／又は端末１２０は、単一アンテナ又は複数アンテナを有することができる。
【０１４１】
以上説明した各実施例は、本発明の各構成要素と各特徴が所定形態で結合されたものである。各構成要素又は特徴は、別途の明示的な言及がない限り、選択的なものとして考慮しなければならない。各構成要素又は特徴は、他の構成要素や特徴と結合しない形態で実施することができる。また、一部の構成要素及び／又は特徴を結合して本発明の実施例を構成することも可能である。本発明の実施例で説明される動作の順序は変更可能である。ある実施例の一部構成や特徴は、他の実施例に含まれてもよく、他の実施例の対応する構成又は特徴に取って代わることもできる。特許請求の範囲において明示的な引用関係のない請求項を結合して実施例を構成したり、出願後の補正によって新しい請求項として含めたりすることができることは自明である。
【０１４２】
本明細書において、本発明の各実施例は、端末と基地局との間のデータ送受信関係を中心に説明された。本明細書において基地局によって行われるとした特定動作は、場合によっては、その上位ノードによって行ってもよい。すなわち、基地局を含む多数のネットワークノードからなるネットワークにおいて端末との通信のために行われる様々な動作は、基地局又は基地局以外の他のネットワークノードによって行われうることは明らかである。基地局は、固定局、ノードＢ、進化ノードＢ（ｅＮＢ）、アクセスポイントなどの用語に代替可能である。また、端末は、ユーザ装置（ＵＥ）、移動機（ＭＳ）、移動加入者局（ＭＳＳ）などの用語に代替可能である。
【０１４３】
本発明による実施例は、様々な手段、例えば、ハードウェア、ファームウェア、ソフトウェア、又はそれらの結合などによって具現することができる。ハードウェアによる具現の場合、本発明の一実施例は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現することができる。
【０１４４】
ファームウェア又はソフトウェアによる具現の場合、本発明の一実施例は、以上で説明された機能又は動作を行うモジュール、手順、関数などの形態で具現することができる。ソフトウェアコードは、メモリユニットに記憶されて、プロセッサによって駆動されてもよい。メモリユニットは、プロセッサの内部又は外部に設けられ、既に公知の様々な手段によってプロセッサとデータを交換することができる。
【０１４５】
本発明は、本発明の特徴を逸脱しない範囲で他の特定の形態で具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の均等範囲内における変更はいずれも本発明の範囲に含まれる。
【産業上の利用可能性】
【０１４６】
本発明は、端末、リレー、基地局などのような無線通信装置に使用されうる。
【図１】
0005592557.tif 000010
【図２】
0005592557.tif 000011
【図３】
0005592557.tif 000012
【図４】
0005592557.tif 000013
【図５】
0005592557.tif 000014
【図６】
0005592557.tif 000015
【図７】
0005592557.tif 000016
【図８】
0005592557.tif 000017
【図９】
0005592557.tif 000018
【図１０】
0005592557.tif 000019
【図１１】
0005592557.tif 000020
【図１２】
0005592557.tif 000021
【図１３】
0005592557.tif 000022
【図１４】
0005592557.tif 000023
【図１５】
0005592557.tif 000024
【図１６】
0005592557.tif 000025